(57)【要約】      （修正有）【課題】電話呼出しの警報後、応答遅延手段がセルラ電話のユーザによりホールド選択手段で起動されるシステムを提供する。【解決手段】セルラ電話のユーザによる解放ホールド選択手段６２の起動により受信された電話呼出しについて、セルラ電話とソース電話間音声通信で音声通信が確立される。応答遅延手段５４は、通知手段４６がユーザに着信を警報した後で予め定められた第１の時間範囲でのみ前記ホールド選択手段５０の起動に応じ、また、ソース電話からの電話呼出しを受け取った後に予め定められた第２の時間範囲で解放ホールド選択手段６２が起動されなかった場合には、前記セルラ電話のユーザが出られない旨のメッセージを前記ソース電話に送信する。【選択図】図２
2007228597.tif 000002
【特許請求の範囲】
【請求項１】
ソース電話（３３）がセルラ電話（２１）に電話呼出しを発信したことを該セルラ電話のユーザに警報するための通知手段（４６）と、ホールド選択手段（５０）と、解放ホールド選択手段（６２）と、応答選択手段（４８）とを含むセルラ電話（２１）と、
前記通知手段（４６）に応じて、および前記セルラ電話（２１）のユーザによる前記ホールド選択手段（５０）の起動に応じて、前記セルラ電話とそのソース電話との間で音声通信を確立することなしにソース電話からの電話呼出しを受け、また予め定められた信号をソース電話に送信する応答遅延手段（５４）と、
前記通知手段（４６）がユーザに警告した後で、前記セルラ電話（２１）のユーザによる前記応答選択手段（４８）の起動に応じて、前記セルラ電話（２１）とそのソース電話（３３）の間の音声通信を遅延なく確立する応答手段（５２）と、
前記応答遅延手段（５４）により前記ソース電話からの電話呼出しを受け取った後に前記セルラ電話のユーザによる前記解放ホールド選択手段（６２）の起動に応じて、前記セルラ電話（２１）とそのソース電話（３３）との間の音声通信を確立する解放手段（６０）とを備え、
前記応答遅延手段（５４）はタイマ手段（５８）を含み、前記応答遅延手段（５４）は、前記通知手段（４６）がユーザに警報した後で予め定められた第１の時間範囲でのみ前記ホールド選択手段（５０）の起動に応じるものであり、
前記応答遅延手段（５４）は、前記ソース電話からの電話呼出しを受け取った後に予め定められた第２の時間範囲で前記解放ホールド選択手段（６２）が起動されなかった場合には、前記セルラ電話のユーザが出られない旨のメッセージを前記ソース電話に送信することを特徴とするセルラ無線通信システム。
【請求項２】
前記セルラ電話（２１）はスピーカ（４０）マイクロフォン（４２）をさらに含み、そして前記応答遅延手段は音声通信が妨げられないように該スピーカ（４０）と前記マイクロフォン（４２）を始動することなく前記ソース電話（３３）と前記セルラ電話（２１）の間で通信リンクを確立するための手段を含むことを特徴とする請求項１に記載のセルラ無線通信システム。
【請求項３】
前記応答手段（５２）は音声通信が前記ソース電話（３３）と前記セルラ電話（２１）の間で遅延することなく確立されるように前記スピーカ（４０）と前記マイクロフォン（４２）を始動するための手段を含み、そして前記解放手段（６０）は、音声通信が前記ソース電話（３３）と前記セルラ電話（２１）の間で確立されるように前記スピーカ（４０）とマイクロフォン（４２）を始動するための手段を含むことを特徴とする請求項２に記載のセルラ無線通信システム。
【請求項４】
前記応答遅延手段（５４）は、電話呼出しの受信を通知するために予め定められたメッセージをソース電話（３３）に送信するための手段を含むことを特徴とする請求項１に記載のセルラ無線通信システム。
【請求項５】
前記セルラ電話（２１）は、前記セルラ電話（２１）のユーザが前記通知手段（４６）の警報に応じる前にそのソース電話（３３）のユーザを識別できるように、ソース電話に割り当てられた予め定められた電話番号を表示するための手段（６８）をさらに含むことを特徴とする請求項１に記載のセルラ無線通信システム。
【請求項６】
前記セルラ電話（２１）を含み、前記応答遅延手段、前記応答手段（５２）および前記解放手段（６０）に結合されるセルラ無線ネットワークをさらに含むことを特徴とする請求項１に記載のセルラ無線通信システム。
【請求項７】
前記セルラ無線ネットワークに応じて、前記セルラ無線ネットワークのセルラ電話（２１）に予め定められた機能を提供する特別機能ノード（３４）を更に含み、前記特別機能ノードは前記応答遅延手段（５４）と前記応答手段（５２）および前記解放手段（６０）を含むことを特徴とする請求項６に記載のセルラ無線通信システム。
【請求項８】
ソース電話（３３）がセルラ電話（２１）に電話呼出しをかけたことをセルラ電話（２１）のユーザに警報するための通知手段（４６）と、
ホールド選択手段（５０）と、
解放ホールド選択手段（６０）と、
応答選択手段（４８）と、
前記通知手段（４６）に応じて、およびセルラ電話のユーザによる前記ホールド選択手段（５０）の起動に応じて、前記セルラ電話と前記ソース電話との間の音声通信を遅延なく確立することなくそのソース電話（３３）からの電話呼出しを受け、そしてソース電話に予め定められた信号を送信する応答遅延手段（５４）と、
前記通知手段（４６）がユーザに警報した後、セルラ電話（２１）のユーザによる前記応答選択手段（４８）の起動に応じて、前記セルラ電話とそのソース電話との間で音声通信を確立する応答手段（５２）と、
前記応答遅延手段（５４）により、ソース電話（３３）から電話呼出しを受けた後に、セルラ電話（２１）のユーザにより前記解放ホールド選択手段（５０）の起動に応じて、セルラ電話（２１）とソース電話（３３）との間で音声通信を確立する解放手段（６０）とを備え、
前記応答遅延手段（５４）はタイマ手段（５８）を含み、前記応答遅延手段（５４）は、前記通知手段（４６）がユーザに警報した後に、予め定められた第１の時間範囲でのみ前記ホールド選択手段（５０）の起動に応じるものであり、
前記応答遅延手段（５４）は、前記ソース電話からの電話呼出しを受け取った後に予め定められた第２の時間範囲で前記解放ホールド選択手段（６２）が起動されなかった場合には、前記セルラ電話のユーザが出られない旨のメッセージを前記ソース電話に送信することを特徴とするセルラ電話（２１）。
【請求項９】
スピーカ（４０）およぴマイクロフォン（４２）を更に含み、そして前記応答遅延手段（５４）は、音声通信が妨げられるように該スピーカ（４０）と該マイクロフォン（４２）を始動することなくソース電話とセルラ電話の開で通信リンクを確立するための手段を含むことを特徴とする請求項８に記載のセルラ電話（２１）。
【請求項１０】
前記応答手段（５２）は、ソース電話（３３）とセルラ電話（２１）との間で音声通信が遅延なしに確立されるようにスピーカ（４０）とマイクロフォン（４２）を始動するための手段を含み、そして前記解放手段（６０）は音声通信がそのソース電話とそのセルラ電話の間で確立されるように該スピーカ（４０）とマイクロフォン（４２）を始動するための手段を含むことを特徴とする請求項９に記載のセルラ電話（２１）。
【請求項１１】
前記応答遅延手段（５４）は電話呼出しの受信を通知するために、あらかじめ定められたメッセージをソース電話（３３）に送信するための手段（５６）を含むことを特徴とする請求項８に記載のセルラ電話（２１）。
【請求項１２】
前記セルラ電話（２１）のユーザが前記通知手段（４６）の警報に応答する前にそのソース電話（３３）のユーザを識別できるように、ソース電話（３３）に割り当てられた予め定められた電話番号を表示するための手段（６８）を更に含むことを特徴とする請求項８に記載のセルラ電話（２１）。
【請求項１３】
少なくとも一つのセルラ電話（２１）はホールド選択手段（５０）、解放ホールド選択手段（６２）および応答選択手段（４８）を含むセルラ無線通信システムにおいて、複数のセルラ電話に予め定められた機能を提供するための特別機能ノード（３４）であって、
ソース電話がそのセルラ電話に電話呼出しを発信したことをセルラ電話のユーザに警報するための通知手段と、
前記通知手段（４６）に応じて、そしてさらにセルラ電話（２１）のユーザによるセルラ電話（２１）のホールド選択手段の起動に応じて、前記セルラ電話（２１）とソース電話（３３）の問で音声通信を確立することなくソース電話（３３）からの電話呼出しを受信し、そしてソース電話に予め定められた信号を送信する応答遅延手段（５４）と、
前記通知手段（４６）がユーザに警報した後で、セルラ電話のユーザによる前記応答選択手段（４８）の起動に応じて、前記セルラ電話（２１）とソース電話（３３）のと間で音声通信を遅延なく確立する応答手段（５２）と、
前記応答遅延手段（５４）により前記ソース電話（３３）からの電話呼出しを受信した後に、セルラ電話のユーザによるその解放ホールド選択手段（６２）の起動に応じて、そのセルラ電話とそのソース電話との間で、音声通信を確立する解放手段（６０）と、
タイマ手段（５８）とを備え、
前記応答遅延手段（５４）は、前記通知手段（４６）がユーザに警告した後に、予め定められた第１の時間範囲でのみ前記ホールド選択手段（５０）の起動に応じ、
前記応答遅延手段（５４）は、前記ソース電話からの電話呼出しを受け取った後に予め定められた第２の時間範囲で前記解放ホールド選択手段（６２）が起動されなかった場合には、前記セルラ電話のユーザが出られない旨のメッセージを前記ソース電話に送信することを特徴とするセルラ無線通信システムにおける特別機能ノード。
【請求項１４】
少なくとも、一つのセルラ電話（２１）は、スピーカ（４０）とマイクロフォン（４０）を含み、そしてここに遅延応答遅延手段（５４）は、音声通信が妨げられないようにスピーカ（４０）とマイクロフォン（４２）を始動することなくソース電話（３３）とセルラ電話（２１）の間で通信リンク（５５）を確立するための応答遅延手段（５４）を含むことを特徴とする請求項１３に記載の特別機能ノード（３４）。
【請求項１５】
前記応答手段（５２）は遅延なしにそのソース電話とそのセルラ電話との間で音声通信が確立されるように、前記スピーカ（４０）と前記マイクロフォン（４２）を始動するための手段（６４）を含み、
前記解放手段（６０）はそのソース電話（３３）とそのセルラ電話（２１）との間で音声通信が確立されるように該スピーカ（４０）と該マイクロフォン（４２）を始動するための手段を含むことを特徴とする請求項１４に記載の特別機能ノード（３４）。
【請求項１６】
前記応答遅延手段（５４）は電話呼出しの受信を通知するためにそのソース電話（３３）に予め定めたメッセージを送信するための手段（５６）を含むことを特徴とする請求項１３に記載の特別機能ノード（３４）。
【請求項１７】
前記セルラ電話のユーザが前記通知手段（４６）の警報に応答する前に、ソース電話（３３）のユーザを識別できるようにそのセルラ電話（２１）にそのソース電話の予め定められた電話番号を提供するための手段をさらに含むことを特徴とする請求項１３に記載の特別機能ノード。
【請求項１８】
セルラ電話（２１）とセルラ電話に電話呼出しを発信するソース電話（３３）との間の音声通信を選択的に確立する方法であって、該セルラ電話はホールド選択手段（５０）と、解放ホールド選択手段（６２）と、応答選択手段（４８）とを含み、前記方法は、
ソース電話（３３）がセルラ電話に電話呼出しを発信したことをセルラ電話（２１）のユーザに警報するステップと、
セルラ電話とソース電話の間で音声通信を確立することなしに、前記警報ステップの後に、セルラ電話（２１）のユーザによるホールド選択手段（５０）の起動に基づいて、ソース電話（３３）からの電話呼出しを受信するステップと、
前記警報するステップの後、セルラ電話のユーザによる応答選択手段（４８）の起動に基づいて、遅延なしにセルラ電話（２１）とソース電話（３３）の間の音声通信を確立するステップと、
前記受信するステップの後に、セルラ電話（２１）のユーザによる解放ホールド選択手段（６２）の起動に基づいて、セルラ電話（２１）と、すでに受け付けた電話呼出しのソース電話（３３）との間で音声通信を確立するステップと、
前記セルラ電話（２１）のユーザが最初に警報されてからの経過時間を決定するステップとを含み、
前記ソース電話（３３）からの電話呼出しは、前記セルラ電話（２１）のユーザが最初に警報された後の予め定められた第１の時間範囲でのみ受信され、
前記ソース電話からの電話呼出しを受け付けた後の予め定められた第２の時間範囲で解放ホールド選択手段（６２）が起動されなかった場合には、前記セルラ電話のユーザが出られない旨のメッセージを前記ソース電話に送信することを特徴とする方法。
【請求項１９】
前記セルラ電話（２１）はさらにスピーカ（４０）とマイクロフォン（４２）を含み、前記受信するステップは、音声通信が妨げられることのないように、そのスピーカ（４０）とマイクロフォン（４２）を始動することなくそのソース電話（３３）とセルラ電話（２１）の間の通信リンクを確立するステップを含むことを特徴とする請求項１８に記載の方法。
【請求項２０】
音声通信を確立する二つの前記ステップは、音声通信が、そのソース電話（３３）とその電話呼出しの受信を通知するセルラ電話（２１）の間で確立されるように、そのスピーカ（４０）とそのマイクロフォン（４２）を始動するステップを含むことを特徴とする請求項１９に記載の方法。
【請求項２１】
前記受信するステップは、予め定められたメッセージをソース電話（３３）に送信するステップを含むことを特徴とする請求項１８に記載の方法。
【請求項２２】
前記警報するステップは、前記セルラ電話（２１）のユーザが警報こ応答する前にソース電話のユーザを識別できるように、ソース電話（３３）に割り当てられた予め定められた電話番号を表示するステップを含むことを特徴とする請求項１８に記載の方法。
【発明の詳細な説明】
【技術分野】
【０００１】
本発明は、一般的にセルラ無線通信システムおよび方法に関し、特にセルラ無線通信システムにおいて音声通信を選択的に確立するためのシステムと方法に関するものである。
【背景技術】
【０００２】
セルラ無線通信システムは、多数の移動ユニットもしくは加入者に無線音声およびデータ通信を提供するのにますます使用されている。セルラ無線通信システムは“ＡＭＰＳ”システムのようなアナログセルラシステムおよび最近では、汎ヨーロッパ“ＧＳＭ”システムのようなデジタルセルラシステムの双方を含む。
【０００３】
セルラ無線通信システムは、多数の移動ユニットもしくは加入者に無線音声およびデータ通信を提供するのにますます使用されている。セルラ無線通信システムは“ＡＭＰＳ”システムのようなアナログセルラシステムおよび最近では、汎ヨーロッパ“ＧＳＭ”システムのようなデジタルセルラシステムの双方を含む。
【０００４】
これらのシステムおよび他のものは、Ｐ．Ｔ．Ｓｔｅｉｎｅｒ社、Ｂｒｉｄｇｅｖｉｌｌｅ、Ｐｅｎｎｓｙｌｖａｎｉａ（１９９２）により発行された、Ｈａｒｔｅによる“双モードセルラ”と題される書物に記載されている。
【０００５】
“自動応答装置”と題される橋本に与えられた米国特許第４，６０８，４５８号は、発信側への挨拶を繰り返し作成することおよび発信者の名前を要求することにより到着呼出しに応答する電話応答装置を論じている。発信側による応答は、呼ばれた側に聞こえるように呼ばれた側の電話セットの中で増幅される。もし、呼ばれた側がすぐに呼出しを受信するなら、認識信号が呼ばれた者が携帯する無線トランシーバにより応答装置に送信される。
【０００６】
セルラ無線通信システムは、一般的に一もしくはそれ以上のセルラ電話、一もしくはそれ以上の無線基地ステーションおよび移動電話交換機センタ（ＭＳＣ）を含む。典型的なセルラ無線通信システムは数百の無線基地、数千のセルラ電話および一つもしくはそれ以上のＭＳＣを含むことができる。セルラ無線通信システムは、セルとして説明される多数の一定間隔で離れた領域を含む。各セルは、セル領域の中に置かれたセルラ無線電話に、およびそこからメッセージを送信および受信するための無線基地ステーションを含む。
【０００７】
セルラ無線通信システムの各セルは、セルラ電話メッセージが運ばれる複数の全二重音声チャネルを含む。各セルは、またセルラ電話および指定された音声チャネルの動作を制御するための多数の制御チャネルを与えられる。従って、セルラ無線通信システムにおいて、全二重無線通信信号もしくはリンクは二つのセルラ電話もしくは、セルラ電話および有線電話の間で確立できる。
【０００８】
以後使用されるものとして、“セルラ電話”という単語は、セルラ無線通信システムにアクセスする幅広い様々な携帯電話装置を含む。セルラ電話は、携帯すなわちさまざまなバッグフォンおよび固定的にマウントされた車載電話である移動電話を含む。“セルラ電話”という単語は、ファクシミリ、データ通信、データ処理、ワードプロセッサ応用および他の個人通信システム機能のようなセルラ電話の機能の加わった機能を備える端末をまた含む。これらの高度に機能的なセルラ電話は“パーソナル通信システム”としてしばしば説明される。
【０００９】
各無線基地は、一般的に制御ユニットおよび関連するアンテナを含む。セル領域の中に置かれたセルラ電話に対して、基地局は主にセルラ電話へのおよびそこからのメッセージを中継する機能をはたす。無線基地局は、またセルラ電話との通信リンクの品質を監視する。典型的な無線基地局は、スウェーデン、ストックホルム、エリクソン無線システムＡＢにより製造された、ＣＭＳ８８００セルラ移動電話システムに対するモデル番号ＲＢＳ８８２である。このアナログセルラネットワークの全記述はエリクソン無線システムＡＢにより刊行された公開番号ＥＮ／ＬＺＴ１０１ ９０８Ｒ２Ｂ号に記載されている。
【００１０】
多数の基地局がセルラシステムの中央統合装置として動作する単一ＭＳＣに接続される。ＭＳＣはセルラプロセッサとセルラ電話と有線電話との間の通信を許容する公衆交換電話ネットワーク（ＰＳＴＮ）に接続される交換機を含む。ＭＳＣはホームロケーションレジスタ（ＨＬＲ）に接続される。ＨＬＲはセルラシステムの加入者に関係するデータを記憶するための記憶手段を含む。このデータは呼出し待ち、呼出しホールドのような加入者により要求されるなんらかの特定サービス要求と同じように加入者電話番号を含む。ＨＬＲは記憶された加入者データを操作するための処理手段を含む。
【００１１】
特別機能ノードはセルラ無線通信システムのＭＳＣ、もしくはＰＳＮＴのような他の接続通信ネットワークに結合できる。例えば、特別機能ノードは、ＨＬＲの中に組み込まれ、もしくはそれに結合できる。特別機能ノードがＰＳＴＮのような他の通信ネットワークと結合できても、セルラ無線通信ネットワークはセルラ無線通信システムのＭＳＣおよびＰＳＮ即ち他の通信ネットワークの間の相互接続を介して特別機能ノードにアクセスできる。
【００１２】
特別機能ノードは、例えば、中継無線基地局を介してのように電話間で効果的な通信リンクを確立するＰＳＴＮに結合したセルラ電話もしくは電話に予め定められた機能を提供し、あるいは会議電話呼出しの確立を容易にするだけでなく音声制御会話情報および加入者番号転送サービス提供する。さらに、特別機能ノードは、セルラ電話のユーザに対するポケットベルサービスを提供できる。例えば、特別機能ノードは、例え、“機能性をもつ組織を設定する方法”と題される米国特許出願番号０１８、２６８号、および“通信を組織化する方法”と題される米国特許出願番号０１８、２２３号により詳細に記載されていて、いずれも１９９３年２月１６日に出願され、いずれも参照することによりここに併合する。
【００１３】
セルラ電話の幾分の移動性のために、セルラ無線通信システムの多くのユーザは、ユーザが他の活動をしている間にユーザとともにセルラ電話を運ぶ。例えば、多くのユーザは、一日中、セルラ電話を携帯する。他のユーザは、様々なバッグテレフォンもしくは車の中にいる間に加入者が通信できる固定的にマウントされた車載セルラ電話のいずれかである移動電話を持つ。従って、セルラ電話のユーザは、ユーザのセルラ電話に電話呼出しすることにより、ユーザが沢山のさまざまな活動をしている間にユーザのセルラ電話と連絡できる。
【００１４】
セルラ電話の警報に応答して、ユーザは、もしセルラ電話の近くにいれば、電話呼出しに答えることができ、そして呼出し側と音声通信をすることができる。
【００１５】
あるいは、もしユーザがすぐに警報に応答して呼出し側と答えることを望まなければ、ユーザは単純に警報を無視することができる、即ち応答しない。さらに、ユーザは、到着電話呼出しを他の側あるいはセルラ電話があらかじめ指定した応答装置に転送できる。
【００１６】
ある場合には、セルラ電話のユーザは、呼出し側と会話することを望むが、ユーザの現在の活動を中断し、呼出しを始めることができない。例えば、ユーザが、終了間近の会にいる、あるいはユーザが、狭い道路を大きいトラックて通過中であって最大の注意を要する運転活動中であるような場合である。これの状況にあっては、ユーザは呼出し側に連絡し、ちょっと待ってもらうように知らせることができる。それから、ユーザは、電話呼出しをホールドにし、セルラ電話のスピーカとマイクロフォンを閉じ、ユーザの現在の活動を達成できる。活動が達成された時、ユーザは呼出し側と通信を再開できる。
【００１７】
しかし、ある時には、ユーザが特別に活動を必要としていて、ほんのちょっとでも都合良くあるいは確実に到着電話呼出しに応答できない。このような状況において、ユーザが呼出し側と会話することを望むが、ユーザの活動を達成するためにはセルラ電話の警報を無視しなければならない。かくして、ユーザは、もし呼出し側がメッセージを残していれば、後で電話を返し、あるいは呼出し側がユーザに再びコンタクトするのを待たねばならないのいずれかである。いずれの場合でも、セルラ電話とソース電話の間の通信は、うまくいってもかなり遅れる。
【発明の開示】
【発明が解決しようとする課題】
【００１８】
先の背景での観点の改良されたセルラ無線通信システムと方法を提供することが本発明の目的である。
【００１９】
セルラ電話とソース電話の間で音声通信を選択的に確立するセルラ無線通信システムと方法を提供することがまた本発明の目的である。
【００２０】
これらおよび他の目的は、ユーザがあらかじめ定められ信号を与えるまで、ソース電話と音声通信する確立を遅らせる間に、セルラ電話にセルラ電話呼出しをしているソース電話からの電話呼出しを受け取ることをセルラ電話のユーザに可能にする本発明に従うセルラ無線通信システムと方法により提供される。かくして、ユーザは、その現在の活動をじゃまされることなく電話呼出しを受けることができ、そしてユーザがその活動を達成するまで呼出し側との音声通信するのに確立を遅らせることができる。
【課題を解決するための手段】
【００２１】
本発明に従うセルラ無線通信システムは、ソース電話（３３）がセルラ電話（２１）に電話呼出しを発信したことを該セルラ電話のユーザに警報するための通知手段（４６）と、ホールド選択手段（５０）と、解放ホールド選択手段（６２）と、応答選択手段（４８）とを含むセルラ電話（２１）と、
前記通知手段（４６）に応じて、および前記セルラ電話（２１）のユーザによる前記ホールド選択手段（５０）の起動に応じて、前記セルラ電話とそのソース電話との間で音声通信を確立することなしにソース電話からの電話呼出しを受け、また予め定められた信号をソース電話に送信する応答遅延手段（５４）と、
前記通知手段（４６）がユーザに警告した後で、前記セルラ電話（２１）のユーザによる前記応答選択手段（４８）の起動に応じて、前記セルラ電話（２１）とそのソース電話（３３）の間の音声通信を遅延なく確立する応答手段（５２）と、
前記応答遅延手段（５４）により前記ソース電話からの電話呼出しを受け取った後に前記セルラ電話のユーザによる前記解放ホールド選択手段（６２）の起動に応じて、前記セルラ電話（２１）とそのソース電話（３３）との間の音声通信を確立する解放手段（６０）とを備え、
前記応答遅延手段（５４）はタイマ手段（５８）を含み、前記応答遅延手段（５４）は、前記通知手段（４６）がユーザに警報した後で予め定められた第１の時間範囲でのみ前記ホールド選択手段（５０）の起動に応じるものであり、
前記応答遅延手段（５４）は、前記ソース電話からの電話呼出しを受け取った後に予め定められた第２の時間範囲で前記解放ホールド選択手段（６２）が起動されなかった場合には、前記セルラ電話のユーザが出られない旨のメッセージを前記ソース電話に送信することを特徴とする。
【００２２】
あるいは、ソース電話（３３）がセルラ電話（２１）に電話呼出しをかけたことをセルラ電話（２１）のユーザに警報するための通知手段（４６）と、
ホールド選択手段（５０）と、
解放ホールド選択手段（６０）と、
応答選択手段（４８）と、
前記通知手段（４６）に応じて、およびセルラ電話のユーザによる前記ホールド選択手段（５０）の起動に応じて、前記セルラ電話と前記ソース電話との間の音声通信を遅延なく確立することなくそのソース電話（３３）からの電話呼出しを受け、そしてソース電話に予め定められた信号を送信する応答遅延手段（５４）と、
前記通知手段（４６）がユーザに警報した後、セルラ電話（２１）のユーザによる前記応答選択手段（４８）の起動に応じて、前記セルラ電話とそのソース電話との間で音声通信を確立する応答手段（５２）と、
前記応答遅延手段（５４）により、ソース電話（３３）から電話呼出しを受けた後に、セルラ電話（２１）のユーザにより前記解放ホールド選択手段（５０）の起動に応じて、セルラ電話（２１）とソース電話（３３）との間で音声通信を確立する解放手段（６０）とを備え、
前記応答遅延手段（５４）はタイマ手段（５８）を含み、前記応答遅延手段（５４）は、前記通知手段（４６）がユーザに警報した後に、予め定められた第１の時間範囲でのみ前記ホールド選択手段（５０）の起動に応じるものであり、
前記応答遅延手段（５４）は、前記ソース電話からの電話呼出しを受け取った後に予め定められた第２の時間範囲で前記解放ホールド選択手段（６２）が起動されなかった場合には、前記セルラ電話のユーザが出られない旨のメッセージを前記ソース電話に送信することを特徴とする。
【００２３】
あるいは、少なくとも一つのセルラ電話（２１）はホールド選択手段（５０）、解放ホールド選択手段（６２）および応答選択手段（４８）を含むセルラ無線通信システムにおいて、複数のセルラ電話に予め定められた機能を提供するための特別機能ノード（３４）であって、
ソース電話がそのセルラ電話に電話呼出しを発信したことをセルラ電話のユーザに警報するための通知手段と、
前記通知手段（４６）に応じて、そしてさらにセルラ電話（２１）のユーザによるセルラ電話（２１）のホールド選択手段の起動に応じて、前記セルラ電話（２１）とソース電話（３３）の問で音声通信を確立することなくソース電話（３３）からの電話呼出しを受信し、そしてソース電話に予め定められた信号を送信する応答遅延手段（５４）と、
前記通知手段（４６）がユーザに警報した後で、セルラ電話のユーザによる前記応答選択手段（４８）の起動に応じて、前記セルラ電話（２１）とソース電話（３３）のと間で音声通信を遅延なく確立する応答手段（５２）と、
前記応答遅延手段（５４）により前記ソース電話（３３）からの電話呼出しを受信した後に、セルラ電話のユーザによるその解放ホールド選択手段（６２）の起動に応じて、そのセルラ電話とそのソース電話との間で、音声通信を確立する解放手段（６０）と、  タイマ手段（５８）とを備え、
前記応答遅延手段（５４）は、前記通知手段（４６）がユーザに警告した後に、予め定められた第１の時間範囲でのみ前記ホールド選択手段（５０）の起動に応じ、
前記応答遅延手段（５４）は、前記ソース電話からの電話呼出しを受け取った後に予め定められた第２の時間範囲で前記解放ホールド選択手段（６２）が起動されなかった場合には、前記セルラ電話のユーザが出られない旨のメッセージを前記ソース電話に送信することを特徴とする。
【発明の効果】
【００２４】
かくして、本発明のセルラ無線通信システムと方法は、セルラ電話のユーザがセルラ電話とソース電話の間の音声通信を確立することなくソース電話からの電話呼出しを受けることをセルラ電話のユーザに可能にする。従って、ユーザは、ソース電話のユーザと会話する前に、ユーザの現在活動を達成できる。かくして、本発明のセルラ電話を使用することについての便利性と確実性が向上する。
【００２５】
さらに、セルラ電話への着信がユーザに伝えられた後には、ユーザは、予め定められた第１の時間範囲でのみホールドが可能であり、予め定められた第２の時間範囲でホールドが解放されなかった場合には、セルラ電話のユーザが電話に出られない旨のメッセージをソース電話に送信する。かくして、ソース電話のユーザが、電話がホールドされた状態で一定時間以上待たされるという不都合を防止できる。
【発明を実施するための最良の形態】
【００２６】
本発明の望ましい実施例が示されている付属の図面を参照して、本発明が以後十分に説明される。しかし、本発明は多くの異なる形態で実施例されるものであって、以後説明される実施例のセットに限定されて構成されるべきものではなく、むしろ、この実施例は、この開示が綿密で完全であり、そして技術に熟達したものに本発明の範囲を十分に伝わるように与えられている。全体を通じて同じ番号は同じ要素を参照する。
【００２７】
さて、第１図を参照すると、セルラ無線通信システム２０が図示されている。
【００２８】
セルラ無線通信システムは、複数の領域もしくはセル３６を含み、その各々は対応する無線基地局２３により境界を定められる。セルラ無線通信システムの各無線基地局は、制御および他の公知のセルラ無線通信システム機能を提供するために移動電話交換センタ（ＭＳＣ）に接続される。示されるように、ＭＳＣは、通常、セルラプロセッサ２８とセルラ交換機２９を含む。ＭＳＣのセルラ交換機は、公衆交換電話ネットワーク（ＰＳＴＮ）のような他の結合される通信ネットワークに接続されてそれにインタフェースがとられる。無線基地局およびＭＳＣは一般的にセルラ無線ネットワークを定義する。セルラ無線通信システムの設計はこの技術に習熟したものには良く知られたものであり、それ故に、ここではさらに説明しない。しかし、本発明は、アナログもしくはデジタルの任意のセルラシステムに使用できることが特に注意されるべきである。
【００２９】
セルラ電話２１は、また第１図に図式的に示されている。各無線基地局２３はそのセル３６のセルラ電話と通信するように配置されることが理解されるであろう。ＭＳＣ２５が接続されるＰＳＴＮのような他の通信ネットワーク３０は、第１図に示される有線電話のような１つもしくはそれ以上と通信する。かくして、全二重無線通信信号３２は、２つのセルラ電話間もしくはセルラ電話と有線電話間のようなセルラ無線通信システム２０において好んで使用される。
【００３０】
セルラ無線通信システム２０の一実施例は、セルラネットワークに応答可能でそしてＭＳＣ２５と結合する特別機能ノード３４を含む。図示されていないが、特別機能ノードは、ＰＳＴＮもしくは他の通信ネットワーク３０と結合され、それはＰＳＴＮに結合した電話３３およびＭＳＣと関連するＰＳＴＮ間で確立されたインタフェースを介してセルラ無線通信ネットワークと結合するセルラ電話２１の双方に予め定められ機能を提供するためである。さらに、特別機能ノードは、一企業の複数電話のようなセルラ無線通信ネットワークの予め定められたユーザのみと結合できる。
【００３１】
特徴的ノード３４は、第１図において離れたブロックとして図示されているが、特徴的ノード３４の全部もしくは一部は実際にはＭＳＣ２５もしくはホームロケーションレジスタ（ＨＬＲ）の中に組み込まれている。さらに、図示の目的のために特別機能ノードは第１図において単一ブロック示されているが、特別機能ノードは、本発明の精神と範囲から離れることなくセルラ無線通信システムの中に分散される。例えば、特徴的ノードの一部分はＨＬＲの中に組み込まれるが、特徴的ノードの残りの部分は、結合はされているがＭＳＣの外にあって良い。かくして、特徴的ノード３４は、特別な用途向けのコントローラ、メモリおよびモデム（アナログ応用の）を必要としないが、かわりにモデムプールのようなリソースをセルラ無線通信システムの他の部品を共有する。
【００３２】
本発明のシステムと方法は第２図のセルラ電話２１で具体化されて以下において詳細に説明されているが、特別機能ノード３４は第３図に示されるような本発明のシステムと方法を含み、以下で説明される。これに対して、セルラ無線通信システムは、セルラ電話と特別機能ノードだけでなく、部品において本発明が提供するシステムと方法の特徴を含む。例えば、本発明のシステムと方法は、少なくとも部分的にＭＳＣにより実施される。
【００３３】
本発明のセルラ電話２１は、アナログもしくはデジタルセルラシステムと通信するように作られる。かくして、アナログセルラ電話が第２図で図式的に示されているが、デジタルセルラ電話もまた下記に説明するように使用できる。しかし、いずれの実施例においても、セルラ電話２１は、セルラ電話の動作を制御するためにマイクロプロセッサもしくはマイクロコントローラのようなコントローラ４５を含む。セルラ電話はまた、オーディオ信号を送信および受信するために、そしてセルラ電話と他の電話の間の音声通信をサポートするために、コントローラに動作的に接続されたスピーカ４０およびマイクロフォンを含む。
【００３４】
図示の実施例に従って、セルラ電話２１は、電話呼出しがなされたセルラ電話のユーザに警報するために、セルラ電話のリング信号発生器４１に動作的に接続される通知手段４６を含む。リング信号発生器はスピーカ４０に組み込まれるが、リング信号発生器は一般的にセルラ電話に特有の部品である。通常は、リング信号発生器は、通知手段からの予め定められた信号に応答する切迫した電話呼出しを表示する可聴トーンを送信する。その後、セルラ電話のユーザは呼出しに応答でき、そして、応答選択手段４８を起動することによりソース電話のユーザとの音声通信を確立できる。これに対して、セルラ電話のユーザは、ホールド選択手段５０を起動することによりソース電話との音声通信を確立することなしに電話呼出しを受けることができる。
【００３５】
応答選択手段４８とホールド選択手段５０は、セルラ電話２１に結び付けられたキーパッド５１に予め定められたキーを含む。例えば、予め定められたキーが“応答”、“呼出しホールド”のようにラベルされ、ユーザに便利に利用できる。
【００３６】
応答選択手段およびホールド選択手段は、一つのキーで併用できる。さらに、応答選択手段およびホールド選択手段は、メニュー選択に係わる一つもしくはそれ以上のソフトキーを含むことができ、ソフトキーにおいて、ソフトキーを押し下げることにより選択される特定の機能がセルラ電話により定義され、ユーザに対して表示される。あるいは、応答選択手段とホールト選択手段は、ユーザ入力を受けるためのタッチパッドを含む。さらに、応答選択手段とホールド選択手段は、ユーザの音声入力コマンドに応答するために音声起動される。
【００３７】
第２図に図式的に示されるように、セルラ電話２１のコントローラ４５は、セルラ電話とセルラ電話との通信を要求したソース電話の間の通信を確立するために、セルラ電話のユーザにより応答選択手段４８の起動に応答する応答手段５２を含む。より特徴的には、応答手段は、重大な遅延なしにソース電話とセルラ電話との間で音声通信が確立されるようにセルラ電話のスピーカ４０とマイクロフォン４２を始動するための手段を含むことができる。
【００３８】
音声チャネルを介してのように、一度、音声通信が確立されると、コントーラ４５は、アナログセルラ無線システムのソース電話からの音声信号を受信するアンテナ４１および無線周波数（ＲＦ）トランシーバ７４を制御するように動作する。この技術に熟達した者に分かるように、本発明のデジタルセルラ電話２１は、確立された音声チャネルを介してのデジタルセルラ電話により送信される音声信号を符号化し、そしてソース電話からのように音声チャネルを介して受信される暗号化された音声信号を解読するためのスピーチコーダを制御することにより音声通信をサポートすることができる。
【００３９】
音声通信に加えて、アナログセルラ電話は、高速周波数シフトキー信号処理（ＦＦＳＫ）構成を介するようなモデム信号処理、あるいはデュアルトーン多重周波数（ＤＴＭＦ）トーン信号処理を介してのようなトーン信号処理に従うオープン音声チャネルを介しての変調データを送信および受信できる。この技術に熟達したものによく知られているように、モデム４８は、通常、例えば予め定められたフォーマットと割合に従ってデータを変調および復調する。
【００４０】
同様に、デジタルセルラ電話２１は、音声通信に加えてデータもまた受信および送信できる。この技術に熟達した者によくわかるように、デジタル化されたデータは、ＧＳＭシステムにおける未組織信号処理サービスのようなデジタル信号処理に従うデジタル制御チャネル（ＤＣＣ）を介して通常に送信および受信される。かくして、特別機能ノード３４を含むセルラ無線通信システムのデジタルセルラ電話に対して、デジタルセルラ電話は、モデムを含む必要がない。しかし、特別機能ノードを含まないセルラ無線通信システムのデジタルセルラ電話に対して、デジタルセルラ電話は、デジタルセルラ電話からのデジタルデータを受信し、そして送信のためにモデムの信号処理でデータをアナログに変換し、そして上記のように処理するセルラ無線通信システムのモデムプールに望ましくは結合される。
【００４１】
ある場合には、セルラ電話２１のユーザは、到着電話呼出し受け取りたいと思うが、呼び出し側とすぐには会話を望まない。例えば、セルラ電話のユーザが、車を運転し、そして狭い道路を大きいトラックで通過するときのように、ユーザの全面的な注意を必要とする特別な運転活動をしている場合である。かくして、セルラ電話のユーザは、呼出し側と音声通信を開始する前に、トラックを通過させるような現在の運転活動を達成することを望むであろう。あるいは、ユーザはまもなく終了する会合に出席している。そして、セルラ電話のユーザは、通常は、会合が終了したら、呼出し側と会話することを望む。
【００４２】
セルラ電話のユーザが、差し迫った電話呼出しを単純に無視することなくユーザの現在の活動を達成することを可能にするために、本発明のセルラ電話は、通知手段４６に応答し、さらにセルラ電話とソース電話の間の音声通信を確立することなくソース電話からの電話呼出しを受けるために、セルラ電話のユーザによりホールド選択手段５０の起動に応答する応答遅延手段５４を含む。第２図に示されるように、応答遅延手段は、望ましくは音声通信を確立することなくソース電話と通信リンクをとるための手段５５を含む。通信リンクは、セルラ無線通信システムがセルラ電話の状態をモニターできるようにセルラ無線通信システム２０に“オフフック”信号を送信する。
【００４３】
応答遅延手段は、また、ソース電話に予め定められた信号を送信するための音声チップのような手段５６を望ましくは含む。例えば、予め定められた信号は、ソース電話のユーザが電話呼出しを受け、そして即座に呼出し側と会話を開始することを指示するメッセージを含む。
【００４４】
応答遅延手段は、コントローラ４５のクロックもしくは第１タイマのような第１タイマ手段５８を含むことができ、それは、差し迫った電話呼出しのセルラ電話２１の通知に基づいて初期化される。第１タイマはセルラ電話２１の応答遅延手段５４の中に含まれる一方、第１タイマは、本発明の精神および範囲から離れることなく一セルラ電話の一独立部品であり得る。
【００４５】
第１タイマ５８は、最初、セルラ電話２１のユーザが警報に応答しなければならない定めた値に予めセットする。あらかじめ定められたタイマ周期はセルラ電話のユーザもしくはセルラ無線ネットワークの設計者により望みの任意の値にセットできる。しかし、望ましくは、予め定められた時間周期は約１５秒と約４０秒の間である。一度、セットされると、第１タイマはデクリメントされ、セルラ電話のユーザが予め定められた時間周期の間に警報に適切に応答しないと、セルラ電話のユーザがすぐに受け取れないことを呼出し側に通知するメッセージがソース電話に送信される。
【００４６】
この場合、音声通信は、セルラ電話２１とソース電話の間で確立されることは決してなく、従って、セルラ電話のスピーカ４０とマイクロフォン４２は始動されない。そのかわりに、呼出し側でなされた電話呼出しは、呼び出し側からのメッセージを記録するセルラ電話の音声チップもしくは、例えば、特別機能ノード３４の中に組み込まれるもしくは結合できるセルラ無線通信の音声メイルシステムのような応答装置に転送される。あるいは、呼び出し側でなされた電話呼出しは、セルラ電話のユーザの秘書のような他の予め定められたセルラ無線通信システム２０の電話に転送される。
【００４７】
本発明のセルラ電話２１は、電話呼出しが応答遅延手段５４により受け取られた後に、セルラ電話およびソース電話の間の音声通信を確立するための解放手段６０を含む。解放手段は、望ましくは、例えば、セルラ電話のキーパッド５１上に予め定められたキー、“解放ホールド”のような解放ホールド選択手段６２の起動に応答する。解放ホールド選択手段は、二者択一的に表示されたメニュに結びつく一つもしくはそれ以上のソフトキーを含み、タッチパッドを含むことができ、あるいは上記のように音声起動できる。解放手段は、また、セルラ電話のユーザによる解放ホールド選択手段の起動に基づいて、セルラ電話のスピーカとマイクロフォンが始動しそして音声通信がセルラ電話とソース電話の間で確立されるようなスピーカ４０とマイクロフォン４２を開くための手段６４を望ましくは含む。
【００４８】
かくして、セルラ電話２１のユーザがその前の活動を達成すると、ユーザは解放ホールド選択手段６２を起動し、そして予め受け取った電話呼出しについてソース電話と音声通信を確立する。従って、セルラ電話のユーザは、呼び出し側の呼出しを返す必要がないか、もしくは呼び出し側が再び呼ぶのを待つ必要がないが、比較的に速い時間で通信に対する要求に便利にもしくは確実に応答できる。
【００４９】
一度、ソース側の電話によりなされた電話呼出しが、セルラ電話２１の応答遅延手段５４により受け取られると、応答遅延手段の第２のタイマ手段６６が、望ましくは、第２の予めきめられた値にセットされる。第１タイマ手段５８に関連して上に述べたように、第１タイマ手段５８は、コントローラ４５のクロックもしくはタイマであり得、あるいは本発明の精神と範囲から逸脱することなくセルラ電話の独立した部品であり得る。
【００５０】
第２タイマ６６は、セルラ電話２１のユーザが受け取られた電話呼出しについてソース電話と音声通信を始めなければならない予め定められた値に最初セットされる。予め定められた期間は、セルラ電話のユーザもしくはセルラ無線ネットワークの設計者により任意の望ましい値にセットできる。しかし、第２タイマの定められた時間期間は、望ましくは約１５秒および約４０秒の間である。一度セットされると、第２タイマはそれ以後、周期的にデクリメントされ、そしてもし第２タイマがセルラ電話のユーザによる解放ホールド選択手段６２の起動前に満了すると、本発明のセルラ電話の一実施例は、セルラ電話のユーザは現在、会話できないことを呼び出し側に通知するメッセージをソース電話に送信する。あるいは、セルラ電話は、ある場合には、呼び出し側がセルラ電話のユーザに対してメッセージを残すような応答装置もしくは他の音声メイルシステムにより呼び出し側と接続する。第２タイマ手段を使用することにより、呼出し側がセルラ電話がいつまでもホールドにされないようにすることを確実にする。
【００５１】
セルラ電話２１は、望ましくは、電話呼出しがホールドにされたユーザを記憶する手段を含む。そのユーザを記憶する手段は、通常、ホールドする電話呼出しについての第２タイマ６６の予め定められた時間範囲で一つもしくはそれ以上の間隔でユーザに警報するリング信号発振器４１を含む。一実施例において、リング信号発振器により与えられる警報信号の周期は、電話呼出しがホールドにある期間の長さに応じて増加し、第２タイマにより測定されるにつれて、増加する。
【００５２】
セルラ電話２１は、また望ましくは、ディスプレイ手段６８を含み、通常は、英数字ディスプレイである。一実施例において、ソース電話の電話番号もしくは他の識別子は、通知手段４６により電話の警報に基づいてセルラ電話のユーザに対して表示される。かくして、応答選択手段４８を起動し、そして呼出し側と音声通信を確立することにより通信に対する要求にすぐに応答することを望むかどうか、あるいは、電話呼び出しを受けることを望むが、しかしホールド選択手段５０を起動することにより音声通信を確立することを遅延することを望むかどうかを、セルラ電話のユーザは一部は表示された識別子に基づいて決定できる。あるいは、セルラ電話のユーザは、他のパーティもしくは応答装置に転送でき、あるいは通信に対する要求を単純に無視できる。
【００５３】
以後説明されるように、特別機能ノード３４は、セルラ無線通信システム２０の複数のセルラ電話２１に予め定められた機能を提供できる。本発明の一実施例に従って、第３図に示されるように、特別機能ノードは通知手段４６、応答遅延手段５４、解放手段６０、および応答手段５６を含むことができる。この実施例に従って、セルラ電話は、特別機能ノードに応答でき、そして応答選択手段６２、ホールド選択手段５０、解放ホールド選択手段６２、スピーカ４０、マイクロフォン４０およびある実施例ではディスプレイ６８を含む。
【００５４】
本発明のこの実施例に従うと、セルラ電話２１のユーザは、通常、ソース電話による通信に対する懸案の要求についての特別機能ノード３４の通知手段４６からの信号に応答するセルラ電話のリング信号発生器４１により発生する警報により通知される。それゆえに、セルラ電話のユーザは、警報に応答するために上記のように説明された応答選択手段４８もしくはホールドセクション手段５０を起動できる。この実施例に従うと、特別機能ノードはまた、電話番号もしくはソース電話の他の識別子をセルラ電話のディスプレイ手段６８により表示するためにセルラ電話２１に提供するための手段７０を含む。
【００５５】
さらに、他の実施例に従うと、セルラ無線通信システム２０は、通知手段４６を含むことができ、応答遅延手段５４、解放手段６０、および応答手段５２を含むことができる。かくして、この実施例のセルラ無線通信電話システムは、セルラ無線電話２１および特別機能ノード３４の他に部品の本発明のシステムおよび方法を実施することができる。例えば、本発明のシステムおよび方法の特徴は、ＨＬＲにより少なくとも部分的に実施できる。あるいは、本発明のシステムと方法の特徴は、少なくとも部分的にＭＳＣ２５により実施できる。これらの実施例に従えば、セルラ電話は、セルラ無線ネットワークに応答可能であり、応答選択手段４８、ホールド選択手段５０、解放ホールド選択手段６２、スピーカ４０、マイクロフォン４２およびある実施例においてディスプレイ６８を含む。
【００５６】
本発明のこれらの実施例に従えば、セルラ電話２１のユーザは、通常、ソース電話により通信に対する懸案の要求のセルラ無線通信システム２０の通知手段４６からの信号に応答中のセルラ電話のリング信号発生器により発生された警報により通知される。その後、セルラ電話のユーザは、応答選択手段４８、あるいは警告に応答して上記のようにホールド選択手段５０を起動できる。この実施例に従えば、セルラ無線通信システムはまた、セルラ電話のディスプレイ手段６８により表示する電話番号もしくはソース電話の他の識別子を提供するための手段７０を望ましくは含む。
【００５７】
本発明の特定の実施例にかかわりなく、ソース電話は、例えば、他のセルラ電話２１もしくは有線電話３３のいずれかで良い。さらに、通信要求は、通常、ソース電話から呼び出し側でなされる電話呼出しである。しかし、通信要求は、ファクシミリ、電子メールメッセージもしくは他の通信タイプに送信されるメッセージのようなデータを送信要求するものでも良い。
【００５８】
セルラ無線通信システム２０の各セルラ電話２１は応答遅延特別機能を含む必要がないか、あるいは結合する必要がない、何故なら、一般的にそのような特別機能を含むかもしくは結合するセルラ電話のユーザは特別機能に対して加算料金を支払うからである。そのかわりに、セルラ無線電話システムは、セルラ電話の予め定められたもののみが応答遅延特性を含むもしくは利用するように作られる。
【００５９】
このようにして、ただ、音声通信を始めることなく到着電話呼出しを選択的に受信することを望むユーザのみが利用選択でき、そしてそれ故に特別機能に支払いをする。
【００６０】
さらに、応答遅延機能を選択したセルラ電話２１のユーザは、例えば、もしユーザがこの特別機能を頻繁に利用しないなら、この特別機能を除去できる。反対に、応答遅延特別機能を最初に選択しなかったセルラ電話のユーザは後で選択あるいは望みの特別機能を付加できる。
【００６１】
通知手段、応答手段、応答遅延手段および解放手段を含む本発明のシステムと方法は、セルラ電話２１およびもしあれば特別機能ノード３４の外のセルラ無線通信システム２０により実施例される。例えば、セルラ無線通信システムのＭＳＣ２５もしくはＨＬＲが、本発明の精神と範囲から逸脱することなく通知手段、応答手段、応答遅延手段および解放手段を含むことができる。
【００６２】
第４図を参照すると、本発明に従うセルラ電話２１とソース電話の間の音声通信を選択的に確立するための詳細データが記載されている。ブロック８０に図示されるように、セルラ電話のユーザは、ソース電話により発信された到着電話呼出しについて最初に警報される。ある実施例において、ソース電話の電話番号もしくは他の識別子は、ブロック８２において示されるようにセルラ電話のユーザに対して、セルラ電話の遅延手段６８のようなものにより表示される。
【００６３】
その後、第１タイマ５８が初期化され、そして、セルラ電話２１は、ユーザがブロック８４と８６にそれぞれ示されるように、ホールド選択手段５０を選択したかどうかを決定することをモニターされる。もしセルラ電話のユーザがホールド選択手段を起動したら、通信リンクはセルラ電話とソース電話の間でブロック８８に示すようにセルラ電話のスピーカ４０およびマイクロフォン４２を始動することなく応答遅延手段により確立される。さらに、予め定められたメッセージが、電話呼び出しが受信され、そしてセルラ電話のユーザがすぐに利用できることを示すブロック９０に図示されるようにソース電話に望ましくは送信される。
【００６４】
第２タイマ６６が、その後、初期化され、セルラ電話２１が、ブロック９２と９４で示されるように、解放選択手段６２を起動したかどうか決定することを再びモニターされる。セルラ電話のユーザが解放ホールド選択手段を起動したら、通常、ブロック９６に示されるように受信された電話呼出しを達成するためにセルラ電話のスピーカとマイクフォンを始動することにより、ソース電話との音声通信が確立される。しかし、もし、解放ホールド選択手段がセルラ電話のユーザにより起動されなかったら、第２タイマが減算され、そしてブロック９８と１００においてそれぞれ図示されるように第２タイマが満了したかどうかを決定するように確かめられる。もし、第２タイマが満了していれば、望ましくはメッセージは、セルラ電話のユーザは利用できない呼び出される側であることを通知するためにブロック１０２に示されるように、ソース電話のユーザに送信される。もし、第２タイマが満了していなければ、本発明のシステムおよび方法が第２タイマが満了するか、あるいは解放ホールド選択手段が起動されるかのいずれかまで、解放選択手段が起動されたかどうかをモニタし続ける。
【００６５】
もし、ホールド選択手段５０が、セルラ電話２１の警報に応答して起動されていなければ、本発明のシステムと方法が、ブロック１０４に示されるようにユーザが応答選択手段４８を起動したかどうかを決定するためにモニタし続ける。もしユーザが応答選択手段を起動したならば、通常は、ブロック１０６に示されるようにセルラ電話のスピーカ４０およびマイクロフォン４２を始動することにより、音声通信がソース電話との間で確立される。もし、セルラ電話のユーザが応答選択手段を起動しなければ、第１タイマがデクリメントされ、そして、ブロック１０８と１１０にそれぞれ図示するように、もしそれが満了しているかどうかを確かめられる。もし、第１タイマが満了したら、ブロック１１２に示されるように、セルラ電話のユーザか利用できないことを呼出し側に通知するためにソース電話送信される。もし、第１タイマが満了していなければ、本発明のシステムと方法が、第１タイマが満了するか、あるいはホールド選択手段が起動されるかのいずれかまで、ユーザがホールド選択手段を起動したかどうかを決定するためにセルラ電話に表示し続ける。
【００６６】
かくて、本発明に従って、セルラ電話２１のユーザは、セルラ電話に通信要求するソース電話と音声通信を選択的に確立できる。例えば、選択電話のユーザは応答選択手段４８を起動することにより選択的に呼出し側と音声通信をすぐに確立できる。あるいは、セルラ電話のユーザは、ホールド選択手段５０を起動することにより電話呼出しを受けることができる。電話呼出しが受け取られても、ソース側との音声通信の確立は、例えば、ユーザがその前の活動を完了するまで、遅延される。ユーザがその前の活動を完了した時、ユーザは、解放ホールド選択手段６２を起動することにより受け取った電話呼出しのソース電話との音声通信を確立できる。かくして、セルラ電話のユーザはより便利にそしてより確実になんらかの必要な活動をしている間に電話呼出しを受け取ることができる。
【００６７】
図面と明細書において、本発明の望ましい実施例が前に説明され、そして特徴的なタームが使用されたが、そのタームは一般的および説明的な意味でのみ使用され、限定的な目的で使用されたものではなく、本発明の範囲は以下の請求の範囲でさらに定められる。
【図面の簡単な説明】
【００６８】
【図１】第１図は、本発明のセルラ無線通信システムの基部品を示すブロック図である。
【図２】第２図は、本発明のセルラ電話のブロック図である。
【図３】第３図は、本発明の特別機能ノードのブロック図である。
【図４】第４図は、本発明に従うソース電話と音声通信を選択的に確立するための詳細動作を示す図である。
【図１】
2007228597.tif 000003
【図２】
2007228597.tif 000004
【図３】
2007228597.tif 000005
【図４】
2007228597.tif 000006